(57)【要約】【課題】アプリケーションの起動操作が簡素化された携帯通信端末を提供することを目的とする。【解決手段】２方向の移動及び決定を入力可能な入力操作部３と、この入力操作部３の案内表示Ｇを行う画面表示部２とを有する携帯通信端末１であって、入力操作部３の押圧により、利用者に提供中のコンテンツの種類に基づいて決定されるアプリケーションプログラムを被選択項目とする選択メニューＭ２を画面表示部２に表示させるメニュー表示手段２４と、入力操作部３による移動入力に基づいて、選択メニューＭ２中のフォーカスされた１つの被選択項目を変更するフォーカス変更手段２１と、入力操作部３による決定入力に基づいて、フォーカスされた被選択項目に対応するアプリケーションプログラムを起動させるアプリケーション起動手段２２とを備える。【選択図】　　　　　図１
2004056380.tif 000002
【特許請求の範囲】
【請求項１】
押圧方向により少なくとも２方向の移動及び決定を入力可能な入力操作部と、この入力操作部の案内表示を行う画面表示部とを有し、利用者に複数種類のコンテンツを提供可能な携帯通信端末において、
上記入力操作部の押圧により、利用者に提供中のコンテンツの種類に基づいて決定されるアプリケーションプログラムを被選択項目とする選択メニューを画面表示部に表示させるメニュー表示手段と、
上記入力操作部による移動入力に基づいて、選択メニュー中のフォーカスされた１つの被選択項目を変更するフォーカス変更手段と、
上記入力操作部による決定入力に基づいて、フォーカスされた被選択項目に対応するアプリケーションプログラムを起動させるアプリケーション起動手段とを備えたことを特徴とする携帯通信端末。
【請求項２】
コンテンツの種類ごとに、メニュー表示するアプリケーションプログラムを対応づけたメニューテーブルを備え、
上記メニュー表示手段は、メニューテーブルを参照して、上記選択メニューを画面表示することを特徴とする請求項１に記載の携帯通信端末。
【請求項３】
メニュー表示手段は、利用者に提供中のコンテンツを送信するためのアプリケーションプログラムのみを被選択項目とする選択メニューを画面表示することを特徴とする請求項１又は２に記載の携帯通信端末。
【請求項４】
メニューを表示可能な画面表示部と、第１の入力操作部と、押圧方向によって少なくとも２方向の移動指令及び決定指令を入力できる第２の入力操作部とを有する携帯通信端末において、
上記第１の入力操作部の押圧により、所定のアプリケーションプログラムを被選択項目とする第１のメニューを画面表示する第１のメニュー表示手段と、
上記第２の入力操作部の押圧により、第１のメニュー中の被選択項目よりも少ない被選択項目からなる第２のメニューを画面表示する第２のメニュー表示手段と、
第２の入力操作部の移動指令に基づいて、表示された第１又は第２のメニュー中のフォーカスされた１つの被選択項目を変更するフォーカス変更手段と、
第２の入力操作部の決定指令に基づいて、フォーカスされた被選択項目に対応するアプリケーションプログラムを起動させるアプリケーション起動手段とを備えたことを特徴とする携帯通信端末。
【請求項５】
上記第２のメニュー表示手段は、利用者に提供中のコンテンツの種類に基づいて決定されるアプリケーションプログラムを被選択項目とする選択メニューを画面表示することを特徴とする請求項４に記載の携帯通信端末。
【請求項６】
上記第２のメニュー表示手段は、利用者に提供中のコンテンツを送信するためのアプリケーションプログラムのみを被選択項目とする選択メニューを画面表示することを特徴とする請求項４に記載の携帯通信端末。
【請求項７】
上記画面表示部には、第１及び第２の入力操作部の配置に対応した案内表示が行われることを特徴とする請求項４に記載の携帯通信端末。
【請求項８】
押圧方向により少なくとも２方向の移動及び決定を入力可能な入力操作部と、この入力操作部の案内表示を行う画面表示部とを有し、利用者に複数種類のコンテンツを提供可能な携帯通信端末において、
上記入力操作部の押圧により、利用者に提供中のコンテンツ種類に基づいて決定されるコンテンツタイトルを被選択項目とする選択メニューを画面表示部に表示させるメニュー表示手段と、
上記入力操作部による移動入力に基づいて、選択メニュー中のフォーカスされた１つの被選択項目を変更するフォーカス変更手段と、
上記入力操作部による決定入力に基づいて、フォーカスされた被選択項目に対応するコンテンツタイトルを利用者に提供する手段とを備えたことを特徴とする携帯通信端末。
【発明の詳細な説明】
【０００１】
【発明の属する技術分野】
本発明は、携帯通信端末に係り、さらに詳しくは、携帯電話機などの比較的小型の携帯通信端末についての操作性の改良に関する。
【０００２】
【従来の技術】
図８は、携帯電話機１の外観を示した図である。図中の２は画面表示部、３〜６は入力操作キー、７はスピーカー、８はマイクロフォン、９はアンテナである。画面表示部２は、静止画、動画及び文字を表示可能な画像表示手段であり、通常は、小型化及び軽量化が容易な液晶ディスプレイが用いられている。入力操作キー３〜６は、利用者が指で押圧操作して入力を行う入力操作キーである。
【０００３】
スピーカー７は、通話中には受信音声を出力するための受話器として用いられ、録音された音楽や音声等を再生する場合には再生音の出力装置として用いられる。マイクロフォン８は、通話中には送話音声を入力するための送話器として用いられ、録音時の入力装置としても用いられる。アンテナ９は、セルラー無線基地局（不図示）との間で、デジタルデータのパケット通信を行っており、携帯電話機１は、アンテナ９を介して音声およびデータの送受信を行うことができる。
【０００４】
入力操作キー６は、「０」〜「９」、「＊」及び「♯」に対応したテンキーからなり、いずれも押下操作のみを行うことができる。入力操作キー３〜５は、画面表示部２にそれぞれの名称、操作、機能などの案内表示がなされるキーであり、ＳＷ（ソフトウエア）キーと呼ばれている。
【０００５】
最近の携帯電話機は、その多機能化によって利用者に多くの機能を選択させる必要があるが、携帯電話機の入力操作キーの数を増加させることはできず、同じ入力操作キーに対し、使用状態に応じて異なる機能を割り当てている。このため、利用者の便宜を図るために、３つのＳＷキー３〜５を画面表示部２の下方（手前）の隣接する位置に配列させ、このキー配置に対応させて、画面表示部２内に各ＳＷキー３〜５に関する案内表示が行われている。特に、インターネット接続や電子メールの送受信機能を有する携帯電話機において広く利用されている。
【０００６】
中央に配置されたＳＷキー３は、選択キーと呼ばれ、上下２方向への押圧及び押下の３種類の入力操作を行うことができる。この選択キー３の両脇に配置されたＳＷキー４及び５は、いずれも押下操作のみを行うことができ、向かって右側に配置されたＳＷキー５が、メニュー表示を行うためのメニューキーである。
【０００７】
図９の（ａ）〜（ｃ）は、従来のアプリケーション起動時の操作を順に示した図であり、画像表示中に表示画像データを電子メールに添付して送信するために、電子メールを作成及び送信するためのアプリケーションを起動する場合の様子が示されている。
【０００８】
まず、利用者は、メニューキー５の押下操作を行って、画面表示部２にサブメニューＭ１を表示させる。このサブメニューＭ１は、多数の被選択項目からなるメニューであり、各被選択項目はそれぞれがアプリケーションプログラムに対応している。また、いずれか１つの被選択項目にフォーカスＦが当てられている。フォーカスＦが当てられている被選択項目は、カーソル表示、反転表示、点滅表示等として利用者により認識可能に表示される。
【０００９】
次に、利用者は、選択キー３に対し上下方向への押圧操作を行って、サブメニュー中でフォーカスＦを移動させ、所望の被選択項目にフォーカスを当てた状態で、選択キー３の押下操作を行い、選択したい項目を決定する。なお、フォーカスの移動及び選択は、テンキー６の押下操作によって行うこともできる。また、フォーカス移動時には、必要に応じて画面上のサブメニューＭ１の被選択項目がスクロールされる。
【００１０】
この様にして、利用者は、所望のアプリケーションソフトを起動することができる。ここでは、被選択項目の「３．メール」までフォーカスを移動させて選択し、メール作成のためのアプリケーションプログラムを起動している。（ｃ）はこのときの様子を示した図である。
【００１１】
図１０は、携帯電話機１の要部の構成を示したブロック図である。図中の２は画面表示部、３は選択キー、５はメニューキー、６はテンキー、７はスピーカー、８はマイクロフォン、１０Ｃは端末制御部、１１はアプリケーション処理部、１２はサブメニュー処理部、２０はメニュー起動処理部、２１はフォーカス移動処理部、２２は項目決定処理部、２３はメニューデータ記憶部である。
【００１２】
端末制御部１０Ｃは、携帯電話機１の動作制御を行うマイクロプロセッサにより構成され、画面表示部２、入力操作キー３〜６、スピーカー７、マイクロフォン８等の入出力手段の制御を行っている。この端末制御部１０Ｃは、アプリケーション処理部１１及びサブメニュー処理部１２により構成される。サブメニュー処理部１２は、サブメニューＭ１の表示を行うアプリケーションプログラムであり、アプリケーション処理部１１は、その他の様々なアプリケーションプログラムからなる。
【００１３】
サブメニュー処理部１２は、メニュー起動処理部２０、フォーカス移動処理部２１及び項目決定処理部２２により構成される。メニュー起動処理部２０は、利用者によるメニューキー５の押下を検出し、メニューデータ記憶部２３内のメニューデータを参照して、画面表示部２にサブメニューＭ１を表示させる。メニューデータ記憶部２３は、メニューデータとして、サブメニューＭ１の被選択項目や表示順序等を記憶保持している。
【００１４】
フォーカス移動処理部２１は、サブメニューＭ１の表示中に、選択キー３の上下方向の押圧又はテンキー６の押下によるフォーカスＦの移動入力を検出し、サブメニューＭ１内でフォーカスＦを移動させるとともに、必要な場合にはサブメニューＭ１をスクロールさせる。
【００１５】
項目決定処理部２２は、選択キー３又はテンキー６の押下による決定入力を検出し、アプリケーション処理部１１に対して起動命令を出力する。すなわち、サブメニューＭ１内でフォーカスされている被選択項目に相当するアプリケーションの起動を指示し、利用者により選択されたアプリケーションプログラムが起動される。さらに、コンテンツの選択又は変更が容易な携帯電話機を提供することを目的とする。
【００１６】
【発明が解決しようとする課題】
従来の携帯電話機１は、以上のように構成され、ＳＷキー３〜５を操作してサブメニューＭ１からアプリケーションを起動させる場合、メニューキー５を操作した後、選択キー３を操作しなければならず、利用者は、指を移動させなければならないため、操作が煩雑であるという問題があった。また、複数のキーを使用する必要があることから、携帯電話機１の操作に慣れていない利用者にとっては、操作方法が判りにくいという問題があった。
【００１７】
また、最近の携帯電話機は、多機能化によって、サブメニューに含まれる被選択項目数が多くなってきている。このため、利用者が希望するアプリケーションを選択するには、サブメニューをスクロールさせながらフォーカスを移動させなければならず、起動するアプリケーションの選択が煩雑であるという問題があった。
【００１８】
本発明は、上記の事情に鑑みてなされたものであり、アプリケーションの起動操作が簡素化された携帯通信端末を提供することを目的とする。また、簡単な操作又は判りやすい操作によってアプリケーションを起動することができる携帯通信端末を提供することを目的とする。さらに、コンテンツの選択又は変更が容易な携帯通信端末を提供することを目的とする。
【００１９】
【課題を解決するための手段】
請求項１に記載の本発明による携帯通信端末は、押圧方向により少なくとも２方向の移動及び決定を入力可能な入力操作部と、この入力操作部の案内表示を行う画面表示部とを有し、利用者に複数種類のコンテンツを提供可能な携帯通信端末であって、上記入力操作部の押圧により、利用者に提供中のコンテンツの種類に基づいて決定されるアプリケーションプログラムを被選択項目とする選択メニューを画面表示部に表示させるメニュー表示手段と、上記入力操作部による移動入力に基づいて、選択メニュー中のフォーカスされた１つの被選択項目を変更するフォーカス変更手段と、上記入力操作部による決定入力に基づいて、フォーカスされた被選択項目に対応するアプリケーションプログラムを起動させるアプリケーション起動手段とを備えて構成される。
【００２０】
また、請求項２に記載の本発明による携帯通信端末は、コンテンツの種類ごとに、メニュー表示するアプリケーションプログラムを対応づけたメニューテーブルを備え、上記メニュー表示手段は、メニューテーブルを参照して、上記選択メニューを画面表示するように構成される。
【００２１】
また、請求項３に記載の本発明による携帯通信端末は、メニュー表示手段は、利用者に提供中のコンテンツを送信するためのアプリケーションプログラムのみを被選択項目とする選択メニューを画面表示するように構成される。
【００２２】
また、請求項４に記載の本発明による携帯通信端末は、メニューを表示可能な画面表示部と、第１の入力操作部と、押圧方向によって少なくとも２方向の移動指令及び決定指令を入力できる第２の入力操作部とを有する携帯通信端末であって、上記第１の入力操作部の押圧により、所定のアプリケーションプログラムを被選択項目とする第１のメニューを画面表示する第１のメニュー表示手段と、
上記第２の入力操作部の押圧により、第１のメニュー中の被選択項目よりも少ない被選択項目からなる第２のメニューを画面表示する第２のメニュー表示手段と、第２の入力操作部の移動指令に基づいて、表示された第１又は第２のメニュー中のフォーカスされた１つの被選択項目を変更するフォーカス変更手段と、第２の入力操作部の決定指令に基づいて、フォーカスされた被選択項目に対応するアプリケーションプログラムを起動させるように構成される。
【００２３】
また、請求項５に記載の本発明による携帯通信端末は、上記第２のメニュー表示手段は、利用者に提供中のコンテンツの種類に基づいて決定されるアプリケーションプログラムを被選択項目とする選択メニューを画面表示するように構成される。
【００２４】
また、請求項６に記載の本発明による携帯通信端末は、上記第２のメニュー表示手段は、利用者に提供中のコンテンツを送信するためのアプリケーションプログラムのみを被選択項目とする選択メニューを画面表示するように構成される。
【００２５】
また、請求項７に記載の本発明による携帯通信端末は、上記画面表示部に、第１及び第２の入力操作部の配置に対応した案内表示が行われるように構成される。
【００２６】
また、請求項８に記載の本発明による携帯通信端末は、押圧方向により少なくとも２方向の移動及び決定を入力可能な入力操作部と、この入力操作部の案内表示を行う画面表示部とを有し、利用者に複数種類のコンテンツを提供可能な携帯通信端末であって、上記入力操作部の押圧により、利用者に提供中のコンテンツ種類に基づいて決定されるコンテンツタイトルを被選択項目とする選択メニューを画面表示部に表示させるメニュー表示手段と、上記入力操作部による移動入力に基づいて、選択メニュー中のフォーカスされた１つの被選択項目を変更するフォーカス変更手段と、上記入力操作部による決定入力に基づいて、フォーカスされた被選択項目に対応するコンテンツタイトルを利用者に提供する手段とを備えて構成される。
【００２７】
【発明の実施の形態】
実施の形態１．
図１の（ａ）〜（ｃ）は、本発明の実施の形態１によるアプリケーション起動時の操作を順に示した図であり、図９の場合と同様、画像表示中に表示画像データを電子メールに添付して送信するために、電子メールを作成及び送信するためのアプリケーションを起動する場合の様子が示されている。なお、入力操作キーの配置を含む携帯電話機１の外観は、図８の場合と同一であるものとする。
【００２８】
画面表示部２には、ＳＷキー３〜５の案内表示Ｇが表示されており、中央のＳＷキー３が「選択」キーであることが示されている。まず、利用者は、中央のＳＷキー３を操作して、選択メニューＭ２を表示させる。このときの操作は、押下又は上下方向への押圧のいずれであってもよい。
【００２９】
この選択メニューＭ２は、１又は２以上の被選択項目からなるメニューであり、各被選択項目はそれぞれがアプリケーションプログラムに対応している。選択メニューＭ２を構成する被選択項目は、携帯電話機で実行中のアプリケーションプログラムまたは、当該アプリケーションプログラムが利用者に対して提供中のコンテンツに基づいて決定される。このため、サブメニューＭ１と比較すれば、表示されるアプリケーションが絞り込まれ、被選択項目の数は少なくなっている。
【００３０】
ここでは、提供中のコンテンツを外部に送信するためのアプリケーションプログラムのみが、選択メニューＭ２の被選択項目として表示される場合について説明する。画面表示部２に、画像表示が行われていることから、当該画像データを外部に送信するためのアプリケーションがメニュー表示される。このため、電子メール、ＦＴＰ（Ｆｉｌｅ　Ｔｒａｎｓｆｅｒ　Ｐｒｏｔｏｃｏｌ：ファイル転送プロトコル）、ＩＲ（Ｉｎｆｒａ　Ｒｅｄ：赤外線）を用いたデータ通信のための被選択項目が表示されている。
【００３１】
利用者は、選択メニューＭ２の表示後に中央のＳＷキー（選択キー）３に対し上下方向への押圧操作を行って、選択メニューＭ２中でフォーカスＦを移動させ、所望の被選択項目にフォーカスＦを当てた状態で、選択キー３の押下操作を行う。ここでは、被選択項目の「１．メール」にフォーカスを当てて選択し、メール作成のためのアプリケーションプログラムを起動している。（ｃ）はこのときの様子を示した図である。
【００３２】
この様にして、利用者は、２方向の移動及び決定を入力可能な中央のＳＷキー３を操作するだけで、アプリケーションプログラムを起動することができる。すなわち、キー間で指を移動させることなく、所望のアプリケーションプログラムを起動させることができる。また、利用者に提供中のコンテンツに基づいてメニュー表示される被選択項目を絞り込んでいるため、希望するアプリケーションプログラムを選択する操作が容易となる。さらに、画面表示部２に案内表示がなされた単一のキーのみを操作すればよいため、操作が簡単で判りやすい。
【００３３】
なお、フォーカスＦの移動及び選択は、ＳＷキー３だけでなく、テンキー６の押下操作によっても行うことができ、また、フォーカス移動時には、必要に応じて画面上の選択メニューＭ２の被選択項目がスクロールされる点は、サブメニューＭ１と同様である。
【００３４】
図２は、本発明の実施の形態１による携帯電話機の要部の一構成例を示したブロック図である。図中の２は画面表示部、３は選択キー、７はスピーカー、８はマイクロフォン、１０Ａは端末制御部、１１はアプリケーション処理部、１３は選択メニュー処理部、２１はフォーカス移動処理部、２２は項目決定処理部、２４はメニュー起動処理部、２５はコンテンツ対応メニューデータ記憶部である。
【００３５】
端末制御部１０Ａは、アプリケーション処理部１１及び選択メニュー処理部１３により構成される。選択メニュー処理部１３は、選択メニューＭ２の表示制御を行うアプリケーションプログラムであり、アプリケーション処理部１１は、その他の様々なアプリケーションプログラムからなる。
【００３６】
選択メニュー処理部１３は、フォーカス移動処理部２１、項目決定処理部２２及びメニュー起動処理部２４により構成され、これらの各ブロック２１，２２，２４は、いずれも選択キー３の操作に基づいて動作する。
【００３７】
メニュー起動処理部２４は、利用者による選択キー３の操作を検出し、アプリケーション処理部１１からのコンテンツ種類に基づき、コンテンツ対応メニューデータ記憶部２５内のメニューデータを参照して、画面表示部２に選択メニューＭ２を表示させる。コンテンツ対応メニューデータ記憶部２５は、コンテンツの種類ごとにメニュー表示させる被選択項目や表示順序等を記憶保持している。
【００３８】
ここでは、コンテンツ対応メニューデータ記憶部２５内に、コンテンツデータを外部へ送信するためのアプリケーションプログラムが、各コンテンツ種類に対応づけて記憶保持されているものとする。この場合、アプリケーション処理部１１から出力されるコンテンツ種類に基づいて、コンテンツ対応メニューデータ記憶部２５を参照すれば、利用者に提供中のコンテンツの送信に使用可能な被選択項目からなる選択メニューＭ２を表示することができる。つまり、コンテンツ種類に応じて被選択項目を絞り込んだ、コンテンツ種類ごとのメニュー表示を行うことができる。
【００３９】
フォーカス移動処理部２１及び項目決定処理部２２は、従来のサブメニュー処理部１２のものと同一である。すなわち、フォーカス移動処理部２１は、選択メニューＭ２の表示中に、選択キー３の上下方向の押圧によるフォーカスＦの移動入力を検出し、選択メニューＭ２内でフォーカスＦを移動させるとともに、必要な場合には選択メニューＭ２をスクロールさせる。また、項目決定処理部２２は、選択キー３の押下による決定入力を検出し、アプリケーション処理部１１に対して起動命令を出力する。
【００４０】
図３のステップＳ１０１〜Ｓ１０７は、選択メニュー処理部１３の動作の一例を示したフローチャートである。中央のＳＷキー３が操作されると、利用者に提供中のコンテンツ種類についての送信機能からなる選択メニューＭ２が表示される（ステップＳ１０１，Ｓ１０３）。ただし、送信機能が提供されていない場合、つまり、当該コンテンツに対応してメニュー表示すべきアプリケーションプログラムが存在しない場合には、あるいは、コンテンツの提供中でない場合には、メニュー表示は行わない（ステップＳ１０２）。その後、ＳＷキー３を上下方向へ操作すると、フォーカスＦを移動させ（ステップＳ１０４，Ｓ１０５）、ＳＷキー３を押下操作すると、その時にフォーカスされていたアプリケーションプログラムが起動される（ステップＳ１０６，Ｓ１０７）。
【００４１】
本実施の形態によれば、１つのキーを操作するだけで、所望のアプリケーションプログラムを起動させることができる。また、画面表示部に案内表示がなされたＳＷキーを操作すればよいため、操作が簡単で判りやすい。さらに、コンテンツ種類に基づいてメニュー表示される被選択項目を絞り込んでいるため、何度もスクロールさせることなく、希望するアプリケーションプログラムを選択することができる。また、提供中のコンテンツデータ、例えば、表示中の画像データがアプリケーションプログラムの処理対象になるため、別途、処理対象を指定する必要もない。
【００４２】
なお、本発明は、携帯電話機に限定されず、様々な携帯端末装置に適用することができるが、キーの選択及び配置の自由度が低い携帯電話機等の小型の携帯通信端末の場合に特に好適である。
【００４３】
また、本実施の形態では、選択メニューＭ２が、コンテンツとして画像を表示中に当該画像データの送信機能を表示する場合の例について説明したが、本発明は、この様な場合に限定されない。すなわち、本発明が適用可能なコンテンツには、静止画、動画、音楽等が含まれ、送信機能以外の特定機能、例えば編集機能をメニュー表示させてもよい。
【００４４】
実施の形態２．
実施の形態１では、選択メニューＭ２を表示可能な携帯電話機の例について説明したが、本実施の形態では、サブメニューＭ１及び選択メニューＭ２をともに利用可能な携帯電話機の場合について説明する。
【００４５】
図４は、本発明の実施の形態２による携帯電話機の要部の一構成例を示したブロック図である。端末制御部１０Ｂは、図２に示された選択メニュー処理部１３とともに、図１０に示されたサブメニュー処理部１２を備えて構成される。また、この携帯電話機は、図５に示したようにＳＷキー３及び５についての案内表示が画面表示部２に表示されている。
【００４６】
利用者が、中央のＳＷキーである選択キー３を操作すれば、画面表示部２に選択メニューＭ２が表示され、右側のＳＷキーであるメニューキー５を操作すれば、サブメニューＭ１が表示される。この様にして、サブメニューＭ１と選択メニューＭ２とを併用する場合、コンテンツデータを外部に送信する機能を選択メニューＭ２に割り当て、その他の機能又は全ての機能をサブメニューＭ１に割り当てることにより、多くの機能を選択可能にするとともに、簡単な操作によりデータ送信を可能とすることができる。
【００４７】
なお、本実施の形態では、選択メニューＭ２に提供中のコンテンツデータの送信機能を割り当てる場合の例について説明したが、利用者により頻繁に使用される機能を割り当ててもよい。この場合、提供中のコンテンツごとに表示する選択メニューを異ならせることもできるが、常に一定の選択メニューを表示させるようにしてもよい。
【００４８】
実施の形態３．
実施の形態１及び２では、提供中のコンテンツデータの送信機能をメニュー表示し選択させる場合の例について説明したが、本実施の形態では、提供中のコンテンツデータの編集機能をメニュー表示し選択させる場合の例について説明する。
【００４９】
図６は、本発明の実施の形態３によるアプリケーションプログラムの起動時の様子を示した図である。画像表示中に選択キー３を操作することにより、選択メニューＭ２が表示されるが、この選択メニューＭ２の被選択項目は、画像データに対する編集機能からなる。図中では、セピア化、白黒化、ポスタリゼーション、フレーム追加などの被選択項目からなる選択メニューが示されている。フォーカスを移動させて、いずれかの編集機能を選択すれば、当該機能に対応するアプリケーションプログラムが起動される。
【００５０】
実施の形態４．
実施の形態１〜３では、画像表示中にアプリケーションプログラムを起動する場合の例について説明したが、本実施の形態では、音楽や映像の再生中に、音楽リストや映像リストを表示する場合の例について説明する。
【００５１】
図７は、本発明の実施の形態４によるコンテンツリストを表示させた様子を示した図である。音楽再生中に選択キー３を操作することにより、選択メニューＭ２が表示されるが、この選択メニューＭ２の被選択項目は、予め登録されている音楽リストからなる。同様にして、映像（例えば映画などの動画）の再生中には、予め登録されている映像リストが表示される。
【００５２】
この場合、図２のコンテンツ対応メニューデータ記憶部２５は、コンテンツ種類ごとのタイトル名、すなわち、曲名リスト及び映像リストを保持する記憶部として構成される。メニュー起動処理部２４は、音楽再生時には、当該記憶部から曲名リストを読み出し、曲名を被選択項目とする選択メニューを表示する。また、映像再生時には、当該記憶部から曲名リストを読み出し、映像名を被選択項目とする選択メニューを表示する。
【００５３】
また、図２の項目決定手段２２は、アプリケーション処理部１１で実行中のアプリケーションプログラムに対し、コンテンツを指定する手段として構成され、利用者によって選択されたコンテンツタイトルがアプリケーション処理部１１に入力され、当該タイトルが利用者に提供される。
【００５４】
本実施の形態によれば、選択キー３を操作するだけで、曲名や映像名などのコンテンツタイトルを表示させ、選択することができるので、簡単な操作により、コンテンツを選択及び変更することができる。例えば、再生中の音楽や映像をスキップさせる操作が容易に行える。
【００５５】
【発明の効果】
本発明によれば、アプリケーションの起動操作が簡素化された携帯通信端末を提供することができる。また、簡単な操作又は判りやすい操作によってアプリケーションを起動することができる携帯通信端末を提供することができる。さらに、コンテンツの選択又は変更が容易な携帯通信端末を提供することができる。
【図面の簡単な説明】
【図１】（ａ）〜（ｃ）は、本発明の実施の形態１によるアプリケーション起動時の操作を順に示した図である。
【図２】本発明の実施の形態１による携帯電話機の要部の一構成例を示したブロック図である。
【図３】ステップＳ１０１〜Ｓ１０７は、選択メニュー処理部１３の動作の一例を示したフローチャートである。
【図４】本発明の実施の形態２による携帯電話機の要部の一構成例を示したブロック図である。
【図５】携帯電話機の画面表示部の一例を示した図である。
【図６】本発明の実施の形態３によるアプリケーションプログラムの起動時の様子を示した図である。
【図７】本発明の実施の形態４によるコンテンツリストを表示させた様子を示した図である。
【図８】携帯電話機１の外観を示した図である。
【図９】（ａ）〜（ｃ）は、従来のアプリケーション起動時の操作を順に示した図である。
【図１０】図８の携帯電話機の要部の構成を示したブロック図である。
【符号の説明】
１　携帯電話機、２　画面表示部、３　ＳＷキー（選択キー）、
４　ＳＷキー、５　ＳＷキー（メニューキー）、６　テンキー、
７　スピーカー、８　マイクロフォン、９　アンテナ、
１０Ａ〜１０Ｃ　端末制御部、１１　アプリケーション処理部、
１２　サブメニュー処理部、１３　選択メニュー処理部、
２０，２４　メニュー起動処理部、２１　フォーカス移動処理部、
２２　項目決定処理部、２３　メニューデータ記憶部、
２５　コンテンツ対応メニューデータ記憶部、Ｆ　フォーカス、Ｇ　案内表示、Ｍ１　サブメニュー、Ｍ２　選択メニュー
【図１】
2004056380.tif 000003
【図２】
2004056380.tif 000004
【図３】
2004056380.tif 000005
【図４】
2004056380.tif 000006
【図５】
2004056380.tif 000007
【図６】
2004056380.tif 000008
【図７】
2004056380.tif 000009
【図８】
2004056380.tif 000010
【図９】
2004056380.tif 000011
【図１０】
2004056380.tif 000012